(57)【要約】【課題】屋内のプライバシーを保護できるとともに、防犯性を高めた建物開口部の遮蔽構造を提供する。【解決手段】建物の外壁に形成された開口部と、建物の外部において、前記開口部に向き合って立設された直立板状のフェンスとを具え、前記開口部には、屋内空間及び屋外の間で透視可能な第１の偏光性透光板が用いられるとともに、前記フェンスには、前記第１の偏光性透光板と偏光方向が異なる第２の偏光性透光板が用いられることを特徴とする。【選択図】図１
2007308970.tif 000002
【特許請求の範囲】
【請求項１】
建物の外壁に形成された開口部と、建物の外部において、前記開口部に向き合って立設された直立板状のフェンスとを具え、
前記開口部には、屋内空間及び屋外の間で透視可能な第１の偏光性透光板が用いられるとともに、前記フェンスには、前記第１の偏光性透光板と偏光方向が異なる第２の偏光性透光板が用いられることを特徴とする建物開口部の遮蔽構造。
【請求項２】
前記フェンスは、建物の敷地と外部領域の境界線上に配置されることを特徴とする請求項１記載の建物開口部の遮蔽構造。
【請求項３】
前記フェンスの上端部と、前記外壁の開口部の上部との間に、屋根が架け渡され、
この屋根には、第１の偏光性透光板と偏光方向が異なる第３の偏光性透光板が用いられることを特徴とする請求項１又は２記載の建物開口部の遮蔽構造。
【請求項４】
前記第３の偏光性透光板は、屋根面に沿って方向転換可能に取り付けられ、
採光位置に方向転換した第３の偏光性透光板は、第１の偏光性透光板と偏光方向が一致することにより、第１の偏光性透光板、及び第３の偏光性透光板を通して開口部から採光できることを特徴とする請求項３記載の建物開口部の遮蔽構造。
【発明の詳細な説明】
【技術分野】
【０００１】
本発明は、外壁の開口部を通して、外部からの覗き込みを有効に防止しうる建物開口部の遮蔽構造に関する。
【背景技術】
【０００２】
住宅、ケアーハウス或いはグループホームなどの福祉施設、ホテル或いは旅館など宿泊施設においては、プライバシーを保護するとともに、防犯性を高める必要から、外壁に設けられた開口部にレースカーテン、ブラインドなどを装着することにより、外部からの覗き込み防止を図っている。しかしながら、夜間内部が明るく照明される場合は、レースカーテンを透かして内部の人影が映るため、プライバシーが損なわれるという問題がある。しかもカーテン、ブラインドは、使用状況に合せて、その都度開閉操作する必要があることから、取扱いが面倒であり、またそのために操作忘れを生じ易い。
【０００３】
そこで、建物の周囲をコンクリートブロック塀、アルミ製フェンス、生垣などで囲むことにより、外部領域からの視線を遮ってプライバシーを確保する方法が多く採られている。そして、敷地の境界を囲んで内側を完全に遮蔽できることから、空き巣などの不法侵入を防止できる一次効果がある。しかしながら、一度敷地内に入った侵入者は、反対に外部から見付け難くなるため、パトロール者の警戒の目を逃れる結果を招くことから、防犯上逆効果となる場合が見受けられる。
【０００４】
このような状況を鑑み、略下半分をコンクリートブロックを用いて堅牢な塀を構築するとともに、その上に格子状の木製パネルを設けて、敷地内の侵入者を見つけ易くした住宅建物の塀構造が提案されている（例えば、特許文献１参照）。
【０００５】
【特許文献１】特開２０００−２２０３２７号公報
【発明の開示】
【発明が解決しようとする課題】
【０００６】
しかしながら、蹲った不法侵入者が下半分のコンクリートブロックに隠れてしまうと、パトロールの警戒が見逃し易くなるという問題は依然残っている。逆に、格子状の木製パネルが、敷地外の通行人の目の高さに配置されることから、屋内の様子が覗き見され易くなるため、プライバシーを損なうという問題も生じている。
【０００７】
本発明は、開口部に、屋内空間及び屋外の間で透視可能な第１の偏光性透光板を用い、フェンスには、前記第１の偏光性透光板と偏光方向が異なる第２の偏光性透光板が用いることを基本とし、屋内のプライバシーを保護できるとともに、防犯性を高めた建物開口部の遮蔽構造の提供を課題としている。
【課題を解決するための手段】
【０００８】
前記目的を達成するために、請求項１に係る発明では、建物の外壁に形成された開口部と、建物の外部において、前記開口部に向き合って立設された直立板状のフェンスとを具え、前記開口部には、屋内空間及び屋外の間で透視可能な第１の偏光性透光板が用いられるとともに、前記フェンスには、前記第１の偏光性透光板と偏光方向が異なる第２の偏光性透光板が用いられることを特徴とする。
【０００９】
請求項２に係る発明において、前記フェンスは、建物の敷地と外部領域の境界線上に配置されることを特徴とする。
【００１０】
請求項３に係る発明では、前記フェンスの上端部と、前記外壁の開口部の上部との間に、屋根が架け渡され、この屋根には、第１の偏光性透光板と偏光方向が異なる第３の偏光性透光板が用いられ、また請求項４に係る発明において、前記第３の偏光性透光板は、屋根面に沿って方向転換可能に取り付けられ、採光位置に方向転換した第３の偏光性透光板は、第１の偏光性透光板と偏光方向が一致することにより、第１の偏光性透光板、及び第３の偏光性透光板を通して開口部から採光できることを特徴とする。
【発明の効果】
【００１１】
請求項１に係る発明においては、開口部に設けた第１の偏光性透光板と、フェンスに設けた第２の偏光性透光板の偏光方向が異なることから、フェンスの外側から開口部を介して建物内部を見通すことができないため、プライバシーを確実に守ることができる。しかしながら、開口部とフェンスの間に身を潜める不審者の存在は、建物の内側、フェンスの外側何れの側からも即座に発見することができることから、高い防犯効果を得ることができる。
【００１２】
請求項２に係る発明のように、フェンスを、建物の敷地と外部領域の境界線上に配置すると、外部の道路、或いは隣接する敷地内から建物の内部を覗き見することができなくなるため、高いプライバシーを維持できる。しかしながら、庭など建物外の敷地からは、フェンスの第２の偏光性透光板を通じて、敷地外部の領域を見通すことができるため、開放的な雰囲気を損なうことがなく、広さを感じることのできる高感性なエクステリアを構成できる。
【００１３】
請求項３に係る発明のように、フェンスの上端部と、前記外壁の開口部の上部との間に、第１の偏光性透光板と偏光方向が異なる第３の偏光性透光板を用いた屋根を架け渡すと、開口部からの日射が遮られて、建物内部の眩しさを防止できるとともに、夏季においては太陽熱が遮断されることから空調効率を高めることができる。他方開口部とフェンスに挟まれた空間には、上部に屋根に設けられた閉空間が形成され、かつ屋根に用いた第３の偏光性透光板を通して日射が差し込むため、冬季には暖かいサンルームが形成される結果、観葉植物などの育成栽培に好適に使用できる。
【００１４】
請求項４に係る発明のように、第３の偏光性透光板を、屋根面に沿って方向転換可能に取り付けると、第３の偏光性透光板は、第１の偏光性透光板と偏光方向が一致することにより、太陽光を屋根面及び開口部を通じて建物内部へ採りいれることができるため、特に太陽高度が低くなる冬季において、開口部内側に陽だまりが形成されることから、快適な空間が形成できる。しかも夏季には、再度第３の偏光性透光板を方向転換することによって、簡単に遮光への切替ができる。
【発明を実施するための最良の形態】
【００１５】
以下、本発明の実施の一形態を、図示例とともに説明する。図１に示すように、建物開口部の遮蔽構造１は、建物２の外壁３に形成された開口部４と、この開口部４に向き合って立設されたフェンス５とを具えている。
【００１６】
前記建物２としては、住宅、ケアーハウス或いはグループホームなどの福祉施設、ホテル或いは旅館など宿泊施設の他、事務所オフィス或いは店舗など商業施設、学校、図書館或いは公民館など公共施設も含まれる。但し本発明の建物２は、その外壁と道路、或いは隣地との間に、例えば６００ｍｍ以上のゆとりが設けられている。
【００１７】
前記開口部４は、居室などに形成される腰高の窓、テラスなどに形成される出入り口を含む。そしてその内周縁にはアルミサッシ開口枠が取り付けられ、更にこの開口枠にアルミ枠を有する開口建具１１が開閉可能に装着されている。開口建具１１は、本形態では、引き違い戸の場合が例示されるが、回転戸、滑り出し戸、上下スライド戸、或いは嵌め殺し戸を採用することもできる。
【００１８】
前記開口建具１１のアルミ枠内部には、第１の偏光性透光板Ｈ１が嵌合され、これによって、開口部４に第１の偏光性透光板Ｈ１が設けられる。偏光性透光板とは、特定の単一方向の波長の光のみが透過しうる板をいい、偏光性透光板を通過した光は、同一の方向性を有する偏光性透光板を透過しうるが、異なる方向性の偏光性透光板は透過できず、遮光される性質を有するものであり、従って屋内空間６と、屋外との間が透視可能となる。この種の偏光性透光板は、偏光ガラスとして形成されがものを使用できるが、本形態では、透明ガラス１２に、偏光フィルム１３を貼着して形成したものを用いている。
【００１９】
なお本明細書において、偏光性透光板は、その偏光方向を区別するため、特定の偏光方向のものを第１の偏光性透光板Ｈ１とし、断面図上では模式図的に偏光フィルム１３を破線で図示している。他方この第１の偏光性透光板Ｈ１と偏光方向が異なるものを、第２の偏光性透光板Ｈ２とし、断面図上では模式図的に偏光フィルム１３を連続した実線で図示している。
【００２０】
前記フェンス５は、建物２外側の敷地内に設けられるものであり、本形態では、隣地及び、道路などの外部領域との境界線上に立設されたものが例示され、平面視略矩形状に、建物２の全周を囲んで配置されている。そして本形態のフェンス５は、図２に示すように、地盤面１４に載置固定された布基礎状の土台１５と、この土台１５から垂直に立上り、等間隔で隔設された支柱１６と、この支柱１６の上端部を連続的に繋いで水平にのびる上枠１７とを含み構成されたものを例示している。土台１５は、コンクリートブロックを１乃至２段積み上げて構成される。また支柱１６、及び上枠１７は、例えばアルミ押出材が用いられ、専用金物（図示せず）を用いて、土台１５に固着されると共に、縦横に枠状に組み立てられる。
【００２１】
隔設された支柱１６の間には、前記第２の偏光性透光板Ｈ２が配され、上枠１７と土台１５との間で取り付けられている。しかして、この第２の偏光性透光板Ｈ２は、開口部に設けた第１の偏光性透光板と偏光方向が異なることから、フェンスの外側から開口部内側の建物内部を見通すことができないため、プライバシーを保護することができる。特に本形態のフェンス５は、前記の如く建物２の敷地と外部領域の境界線上に配置されることから、外部の道路、或いは隣接する敷地内から建物２の内部を覗き見することができなくなり、そのため高いプライバシーを維持することができる。
【００２２】
一方建物２から外に出た場合には、敷地の内部から、フェンスの第２の偏光性透光板を通して、道路、外部の風景などの外部領域を見通すことができることから、開放的な雰囲気が維持され、広がりを感じることのできる高感性なエクステリアが構成される。しかしながら、開口部４とフェンスの間に不審者が身を潜める場合には、建物の内側、フェンスの外側何れの側からも即座に発見することができるため、高い防犯効果を得ることができる。
【００２３】
図３は、他の実施形態を例示している。以下異なる内容について説明し、それ以外は図中に表れた主要構成に同じ符号を付すだけとする。本形態では、外壁３の開口部４の上部に横Ｌ字状の基受け金具１８が取り付けられるとともに、フェンス５の上端部に横Ｖ字状の先受け金具１９が取り付けられ、この基受け金具１８、及び先受け金具１９の間に屋根７が架け渡される。この屋根７には、矩形状の屋根フレーム２１と、偏光方向の異なる第３の偏光性透光板Ｈ３とを含む屋根パネル２０が用いられ、屋根フレーム２１を基受け金具１８、及び先受け金具１９に取り付けることによって屋根７が構成される。
【００２４】
しかも前記第３の偏光性透光板Ｈ３は、第１の偏光性透光板Ｈ１と偏光方向が異なるものが用いられる。その結果、屋根７を透過した日射は開口部４において遮られるため、建物内部において眩しさを防止できるとともに、夏季には太陽熱が遮断されることから空調効率を高めることができる。また屋根７を設けることによって、開口部４とフェンスとの間に閉空間が形成されるとともに、屋根７に用いた第３の偏光性透光板Ｈ３を通って日射が差し込むため、特に冬季において暖かいサンルームが形成されることから、観葉植物などの育成栽培に好適に使用できる。
【００２５】
また図４に示すように、ビス、ボルトなどを用いて、屋根パネル２０を、基受け金具１８、及び先受け金具１９に着脱可能に取り付けることによって、屋根勾配面に沿って、屋根パネル２０を９０度回転できるように構成し、しかも回転した第３の偏光性透光板Ｈ３は、第１の偏光性透光板Ｈ１と偏光方向が一致するように構成すると、太陽光を第３の偏光性透光板Ｈ３、第１の偏光性透光板Ｈ１を通して、建物２の内部に採りいれることができる。その結果、特に冬季には太陽高度が低くなって、開口部４の内側に陽だまりが形成されることから、快適な生活空間が形成される。しかも夏季には、屋根パネル２０を９０度回転させて、第３の偏光性透光板Ｈ３をもと方向に戻すと、簡単に遮光への切替ができる。
【００２６】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００２７】
【図１】本発明の一実施の形態を例示する斜視図である。
【図２】その使用状態を示す、要部縦断面図である。
【図３】他の実施形態を例示する縦断面図である。
【図４】その屋根を方向転換した使用状態を例示する縦断面図である。
【符号の説明】
【００２８】
１      建物開口部の遮蔽構造
２      建物
３      外壁
４      開口部
５      フェンス
６      屋内空間
７      屋根
Ｈ１    第１の偏光性透光板
Ｈ２    第２の偏光性透光板
Ｈ３    第３の偏光性透光板
【図１】
2007308970.tif 000003
【図２】
2007308970.tif 000004
【図３】
2007308970.tif 000005
【図４】
2007308970.tif 000006